(57)【要約】【課題】首周りなどに巻き付けたときに、お洒落センスを悪くしないのはもちろん、今までにないファッション性を表現でき、さらに、使用中にも簡単には解けず、また、使用後の畳み皺などを気にしなくても済むようにする。【解決手段】任意の平面形状を有しながら襞１ａの形成を可能にする布地１の片面もしくは両面に単数もしくは複数条のゴム紐２が張力の付加状態下に一体に連設されてなる。【選択図】　　　　図２
2004076218.tif 000002
【特許請求の範囲】
【請求項１】
任意の平面形状を有しながら襞の形成を可能にする布地の片面もしくは両面に単数もしくは複数条のゴム紐が張力の付加状態下に一体に連設されてなることを特徴とするスカーフ類
【発明の詳細な説明】
【０００１】
【発明の属する技術分野】
この発明は、あらかじめフリルやギャザーなどと称される襞を形成してなるスカーフ類に関する。
【０００２】
【従来技術とその問題点】
婦人の首周りや胸元を飾るストールやスカーフなどのスカーフ類は、多くの場合に、四角形などの任意の平面形状を有するように形成されていて、広げたままや、あるいは、規則的にもしくは不規則的に折り畳むなどして利用される。
【０００３】
このとき、この種のスカーフ類の中には、いわゆる肌触りを良くするために、絹などの滑り易い素材で、しかも、薄く織られた布地からなるものがある。
【０００４】
この言わば滑り易い布地で形成されたスカーフ類にあっては、これを規則的に折り畳んで、たとえば、首に巻き付けた状態で端部を結ぶとしても、結び目を軽く結ぶことも手伝って、この結び目が簡単に解けてしまい、しばしばいわゆる結び直すことになるのが経験則の示すところである。
【０００５】
そして、簡単には解けないように結ぶとなると、いわゆるお洒落センスから懸け離れ易くなるばかりでなく、使用後のスカーフ類に畳み皺を残し易くなり、凡そ受け容れられない手立てになる。
【０００６】
この発明は、このような現状を鑑みて創案されたものであって、その目的とするところは、首周りなどに巻き付けたときに、お洒落センスを悪くしないのはもちろん、今までにないファッション性を表現でき、さらに、使用中にも簡単には解けず、また、使用後の畳み皺などを気にしなくても済み、その汎用性を期待するのに最適となるスカーフ類を提供することである。
【０００７】
【課題を解決するための手段】
上記した目的を達成するために、この発明によるスカーフ類の構成を、基本的には、任意の平面形状を有しながら襞の形成を可能にする布地の片面もしくは両面に単数もしくは複数条のゴム紐が張力の付加状態下に一体に連設されてなるとする。
【０００８】
それゆえ、布地に縫い付けられるなどで連設されたゴム紐は、付加されていた張力が除去されることで、縮むことになり、このとき、このゴム紐を一体に連設させている布地が併せて縮み、多数の襞が形成される。
【０００９】
【発明の実施の形態】
以下に、図示した実施形態に基づいて、この発明を説明するが、この発明によるスカーフ類は、図１に示すように、いわゆる放置するときに、ギャザーやフリルなどと称される多数の襞１ａを有する外観を呈するところに特徴がある。
【００１０】
すなわち、この襞１ａを解消するように、このスカーフ類を両側からいわゆる引き伸ばすと、図２に示すように、このスカーフ類が、図示するところでは、長方形の布地１の片面に複数条のゴム紐２を縫い付けるなどで一体に連設していることが判る。
【００１１】
このとき、布地１は、基本的には、いわゆる肌触りを良くするために、絹や合成繊維などの滑り易い素材で、しかも、薄く織られてなるのが好ましいが、この発明が意図するところからすれば、薄く柔かいことが絶対的に要求される訳ではなく、襞１ａを形成し得る限りには、比較すれば厚くなるものであっても良いことはもちろんである。
【００１２】
また、この布地１の襞１ａを形成する前の平面形状については、上記した長方形の他に、図３（Ａ），（Ｂ）に示すように、正四角形や菱形、あるいは、図示しないが、丸や楕円など凡そ多数の襞を形成し得る限りには任意の平面形状が選択されて良い。
【００１３】
一方、ゴム紐２についてだが、天然あるいは合成を問わずして単にゴム材のみからなる場合を含むのはもちろんだが、多くの場合に、繊維類で被覆されたいわゆるゴム紐からなるとしている。
【００１４】
そして、ゴム紐２が単にゴム材のみからなる場合および繊維類で被覆されたゴム紐からなる場合に、いわゆる横方向の断面形状については、所定の張力を発揮し得る限りに、任意の形状が選択されて良く、図示しないが、たとえば、丸形の他に六角形や八角形など多角形あるいは四角形や三角形が選択されるとしても良い。
【００１５】
また、ゴム紐２が繊維類で被覆されたゴム紐からなる場合に、図示しないが、細巾のベルト状に形成されてなるとしても良く、特に、ベルト状に形成される場合には、たとえば、縫い付け手法でゴム紐２を布地１に連設する場合の縫い付け作業を容易にし得る点で有利となる。
【００１６】
そして、ゴム紐２を布地１に連設する手法についてだが、基本的には、縫い付け作業が、たとえば、ミシンを使うことを可能にする点からしても好ましいと言い得る。
【００１７】
もちろん、ゴム紐２に塗布などされた接着材を利用して布地１に連設するとしても良く、また、この接着材を利用する場合に、アイロン熱で接着材が溶けるなどして布地１に連設されるように設定しても良い。
【００１８】
また、図示するところでは、ゴム紐２は、布地１の片面に連設されるとしているが、襞１ａの形成を可能にする限りには、これに代えて、図示しないが、布地１の両面に連設されるとしても良いことはもちろんである。
【００１９】
そして、このとき、布地１の両面に連設されるゴム紐２は、絶対とは言わないが、重なったり極めて近づいたりしないのが好ましいであろう。
【００２０】
さらに、布地１に対するゴム紐２の長さは、図示するように、布地１より短く設定されてなるとしても良く、また、図示しないが、布地１の長さと同じでも良い。
【００２１】
また、布地１に対するゴム紐２の連設態様についてだが、図２に示すように、いわゆる直線縫い状に連設されるのに代えて、図３（Ｃ），（Ｄ）に示すように、折れ線縫い状あるいは蛇行線縫い状に連設されるなど、襞１ａの形成を可能にする限りには、任意に選択されて良い。
【００２２】
なお、ゴム紐２の本数についてだが、図示するところでは、複数条とされているが、このゴム紐２の機能するところからすれば、多数の襞１ａを形成し得る限りにおいて、図示しないが、単数条とされても良いことはもちろんである。
【００２３】
そして、このスカーフ類を生産する場合について考慮すると、ゴム紐２が連設される布地１については、ストールやスカーフとして製品化されているものが選択されて良いことはもちろんであるが、ロール状に巻かれている長尺の布地１に張力を掛けた状態のゴム紐２を連続縫いして、爾後に所定の長さ寸法に切断するとしても良いことはもちろんである。
【００２４】
以上からすれば、布地１は、これに縫い付けられるなどしたゴム紐２に付加されていた張力が除去されるときに、縮むことになり、このとき、このゴム紐２の収縮で布地１が併せて縮み、多数の襞１ａが形成されることになる。
【００２５】
したがって、このスカーフ類にあっては、新しい態様での利用を可能にすると共に、新たなファッション性を引き出すことを可能にすることになる。
【００２６】
そして、上記の襞１ａは、互いに接触するときに大きい摩擦力を生じることになり、したがって、たとえば、このスカーフ類の端部を結ぶときに、容易に解けなくする。
【００２７】
【発明の効果】
以上のように、この発明にあって、布地に縫い付けられるなどしたゴム紐は、付加されていた張力が除去されるときに縮むから、このゴム紐を一体に連設させている布地が併せて縮み、このとき、多数の襞が形成されることになる。
【００２８】
それゆえ、このスカーフ類にあっては、新しい態様での利用を可能にすると共に、新たなファッション性を引き出すことが可能になる。
【００２９】
そして、多数の襞が形成された状態の布地が結ばれるときに、この襞が大きい摩擦力を発生させるから、たとえば、このスカーフ類の端部を結ぶときに、結び目に大きい摩擦力が発生することになり、この襞をあらかじめ形成していない従来のスカーフ類における結び目にあって摩擦力が少ないがゆえに解け易いことに比較して、容易に解けなくなる。
【００３０】
また、このスカーフ類では、あらかじめ多数の襞を形成しておくとするから、畳み皺が残ることを危惧する必要はなく、したがって、使用後の収納にあってもいわゆる無造作な収納が可能になり、取り扱いを便利にすることになる。
【００３１】
その結果、この発明によれば、首周りなどに巻き付けたときに、お洒落センスを悪くしないのはもちろん、今までにないファッション性を表現できることになり、その汎用性を期待するのに最適となる。
【図面の簡単な説明】
【図１】この発明によるスカーフ類を放置した状態で示す斜視図である。
【図２】図１のスカーフ類を引き延ばした状態を示す斜視図である。
【図３】（Ａ）〜（Ｄ）は、他の実施形態によるスカーフ類を図２と同様に示す図である。
【符号の説明】
１　布地
１ａ　襞
２　ゴム紐
【図１】
2004076218.tif 000003
【図２】
2004076218.tif 000004
【図３】
2004076218.tif 000005